(57)【要約】【課題】  本発明は、ディジタル加入者線モデムと、情報処理装置と、これらのディジタル加入者線モデムおよび情報処理装置を実現するプログラムと、そのプログラムが格納された記憶媒体とに関し、ディジタル加入者線を十分に活用できることを目的とする。【解決手段】  ディジタル加入者線として共用される加入者線の信号方式に適合した電話機と、このディジタル加入者線を介するデータ通信網へのアクセスに供される情報端末との双方と、その加入者線とのインタフェースをとるディジタル加入者線モデムにおいて、信号方式に基づくディジタル情報の送信と受信との双方または何れか一方に供されるアナログモデムと、アクセスの妨げとなる障害と、その障害の予兆との双方または何れか一方が検出されたときに、電話機に代えてアナログモデムをインタフェースの対象に設定し、このアナログモデムをアクセスに供する制御手段とを備えて構成される。【選択図】    図１
2006005423.tif 000002
【特許請求の範囲】
【請求項１】
ディジタル加入者線として共用される加入者線の信号方式に適合した電話機と、このディジタル加入者線を介するデータ通信網へのアクセスに供される情報端末との双方と、その加入者線とのインタフェースをとるディジタル加入者線モデムにおいて、
前記信号方式に基づくディジタル情報の送信と受信との双方または何れか一方に供されるアナログモデムと、
前記アクセスの妨げとなる障害と、その障害の予兆との双方または何れか一方が検出されたときに、前記電話機に代えて前記アナログモデムを前記インタフェースの対象に設定し、このアナログモデムを前記アクセスに供する制御手段と
を備えたことを特徴とするディジタル加入者線モデム。
【請求項２】
請求項１に記載のディジタル加入者線モデムにおいて、
前記制御手段は、
前記障害または前記予兆が検出されたときに前記ディジタル加入者線を介して前記データ通信網へのアクセスが行われている場合に、前記アナログモデムを介してそのデータ通信網との間にこのアクセスの続行に供される通信セッションを確立する
ことを特徴とするディジタル加入者線モデム。
【請求項３】
請求項１に記載のディジタル加入者線モデムにおいて、
前記制御手段は、
前記障害または前記予兆が検出されたときに、前記電話機に先行して生起した呼の呼設定または通話のために前記データ通信網へのアクセスが行われている場合に、これらの呼設定または通話の続行に必要な通信セッションを確立することなく、この電話機による発信または着信応答の環境を確立する
ことを特徴とするディジタル加入者線モデム。
【請求項４】
請求項２に記載のディジタル加入者線モデムにおいて、
前記制御手段は、
前記ディジタル加入者線を介して送信されるべき伝送情報を前記通信セッションの確立の過程で蓄積し、その通信セッションが確立した後に、前記アナログモデムを介して前記データ通信網にこれらの蓄積された伝送情報を送信する
ことを特徴とするディジタル加入者線モデム。
【請求項５】
ディジタル加入者線として共用される加入者線の信号方式に適合した電話機と、このディジタル加入者線を介するデータ通信網へのアクセスに供される情報端末との双方と、その加入者線とのインタフェースをとるディジタル加入者線モデムにおいて、
前記アクセスの妨げとなる障害とその障害の予兆との双方または何れか一方を前記情報端末に通知する通知手段を備えた
ことを特徴とするディジタル加入者線モデム。
【請求項６】
請求項５に記載のディジタル加入者線モデムにおいて、
前記通知手段は、
前記障害と前記予兆との双方または何れか一方が検出されたときに、前記データ通信網へのアクセスが前記電話機に先行して生起した呼の呼設定または通話のために行われている場合に、その旨を前記情報端末に通知する
ことを特徴とするディジタル加入者線モデム。
【請求項７】
ディジタル加入者線として共用される加入者線の信号方式に適応した電話機と前記ディジタル加入者線を介してデータ通信網にアクセスする情報端末との何れか一方と、前記加入者線とのインタフェースをとるディジタル加入者線モデムに併せて、前記信号方式に基づくディジタル情報の送信と受信との双方または何れか一方に供されるアナログモデムと連係し、かつ情報処理を行う情報処理装置において、
前記アクセスの妨げとなる障害、またはその障害の予兆が検出されたときに、前記電話機に代えて前記アナログモデムを前記インタフェースの対象に設定し、このアナログモデムを前記アクセスに供する制御手段と
を備えたことを特徴とする情報処理装置。
【請求項８】
請求項７に記載の情報処理装置において、
前記制御手段は、
前記障害または前記予兆が検出されたときに前記ディジタル加入者線を介して前記データ通信網へのアクセスが行われている場合に、前記アナログモデムおよび前記ディジタル加入者線モデムを介してそのデータ通信網との間にこのアクセスの続行に供される通信セッションを確立する
ことを特徴とする情報処理装置。
【請求項９】
請求項７に記載の情報処理装置において、
前記制御手段は、
前記障害または前記予兆が検出されたときに、前記電話機に先行して生起した呼の呼設定または通話のために前記データ通信網へのアクセスが行われている場合に、これらの呼設定または通話の続行に必要な通信セッションを確立することなく、この電話機による発信または着信応答の環境を確立する
ことを特徴とする情報処理装置。
【請求項１０】
請求項８に記載の情報処理装置において、
前記制御手段は、
前記ディジタル加入者線を介して送信されるべき伝送情報を前記通信セッションの確立の過程で蓄積し、その通信セッションが確立した後に、前記アナログモデムを介して前記データ通信網にこれらの伝送情報を送信する
ことを特徴とする情報処理装置。
【請求項１１】
請求項７ないし請求項１０の何れか１項に記載の情報処理装置において、
前記情報端末を兼ねる
ことを特徴とする情報処理装置。
【請求項１２】
請求項１ないし請求項１１の何れかに記載された制御手段としてコンピュータを機能させるためのプログラム。
【請求項１３】
請求項１ないし請求項１１の何れかに記載された制御手段としてコンピュータを機能させるためのプログラムが記録され、かつコンピュータ読み取り可能な記憶媒体。
【発明の詳細な説明】
【技術分野】
【０００１】
本発明は、アナログの加入者線が周波数多重化方式に基づいて共用されることによって形成されるディジタル加入者線と、そのディジタル加入者線を介してデータ通信網に対するアクセスする情報端末とのインタフェースをとるディジタル加入者線モデムと、そのディジタル加入者線モデムの機能の一部をソフトウエアによって実現する情報処理装置と、これらのディジタル加入者線モデムおよび情報処理装置を実現するプログラムと、そ  
のプログラムが格納された記憶媒体とに関する。
【背景技術】
【０００２】
近年、ＡＤＳＬ（Asymmetric Digital Subscriber Line）その他のディジタル加入者線は、既設のアナログの加入者線が周波数多重化方式に基づいて共用されることにより安価に高速のデータ通信サービスの提供が可能であるために、急速に、かつ広く普及しつつある。
図３は、ＡＤＳＬを介してデータ通信サービスを提供する通信システムの構成例を示す図である。
【０００３】
図において、ＡＤＳＬを介するデータ通信サービスの提供を受ける加入者の宅内に加入者線２１が引き込まれ、その加入者線２１にＡＤＳＬモデム２２が接続される。このＡＤＳＬモデム２２には、アナログの電話機２３と、情報端末であるパーソナルコンピュータ（ＰＣ）２４とが接続される。
一方、このような加入者線２１を収容する交換局では、その加入者線２１は、スプリッタ３１を介して加入者線交換機３２の対応するライン回路と、ＤＳＬＡＭ（Digital Subscriber Line Multiplexer)３３の対応するポートとに接続される。また、加入者線交換機３２は公衆電話網３４に接続され、かつＤＳＬＡＭ３３はインタネット等のＩＰ網３５に接続される。
【０００４】
また、ＡＤＳＬモデム２２は、図４に示すように、下記の要素から構成される。
・  加入者線２１に接続されたスプリッタ４１
・  スプリッタ４１の一方の端子に並列に接続されたフック検出部４２
・  そのフック検出部４２を介してスプリッタ４１の一方の端子に接続された着信検出部４３
・  この着信検出部４３と共に、フック検出部４２を介してスプリッタ４１の一方の端子に共通接点が接続されたスイッチ４４-t、４４-r
・  これらのスイッチ４４-t、４４-rの共通接点にそれぞれ接続された２つのブレーク接点と、電話機２３に接続された２つの共通接点とを有するスイッチ４５
・  スイッチ４４-t、４４-rのメーク接点に一次巻き線の両端が接続されたトランス４６
・  このトランス４６の二次巻き線の両端に個別に接続された２つのアナログ端子を有するコーデック４７
・  上述したスイッチ４５が有する２つのメーク接点に個別に接続された２つのアナログ端子を有し、コーデック４７の特定の制御端子に接続された疑似加入者線回路（ＳＬＩＣ）４８
・  この疑似加入者線回路４８の特定のポートに接続されたフック検出部４９
・  着信検出部４３、疑似加入者線回路４８およびコーデック４７にそれぞれ接続された入出力ポートを有する回線制御部（ＮＣＵ）５０
・  スプリッタ４１の他方の端子に接続されたＤＳＬ部５１
・  上述したコーデック４７、回線制御部５０およびＤＳＬ部５１にそれぞれ接続された入出力ポートを有し、かつＬＡＮインタフェース部５２を介して既述のパソコン２４の通信ポートに接続されたメイン処理部５３
このような構成のＡＤＳＬモデム２２では、加入者線２１の上りのリンクおよび下りのリンクの伝送帯域を下記の「低域」と「高域」とに分割することによって、「加入者線交換機３２を介して公衆電話網３４に対するアクセス」と、「ＡＤＳＬを介するＩＰ網３５へのアクセス」とを可能とする。
・  ０ヘルツないし４キロヘルツの帯域に分布し、かつ加入者線交換機３２および公衆電話網３４に適合した加入者線２１の信号方式に基づくライン信号、レジスタ信号および通話信号の伝送に供される「低域」
・  伝送速度に適応した２５キロヘルツ以上の帯域（例えば、伝送速度が１．１メガビット／秒、２６メガビット／秒、４０メガビット／秒である場合には、それぞれ１．１０４メガヘルツ、２．２メガヘルツ、３．７５メガヘルツに設定される。）に分布し、かつＡＤＳＬの規格の下でＤＳＬＡＭ３３およびＩＰ網３５を介して常時接続による広帯域のデータ伝送サービスに供される「高域」
これらの「低域」および「高域」を介する信号の送受の過程で各部によって行われる基本的な処理は、以下の通りに行われる。
（低域）
電話機２３は、通常、スイッチ４５を介して疑似加入者線回路４８に接続される。疑似加入者線回路４８は回線制御部５０の配下で作動し、かつ電話機２３に発信呼が生起した場合には、その電話機２３から出力されたレジスタ信号を回線制御部５０に引き渡す。
【０００５】
回線制御部５０は、そのレジスタ信号を解析することによって着信先が公衆電話網３４に収容されていると判断すると、スイッチ４４-t、４４-rを閉設定し、かつコーデック４７に、『「トランス４６およびこれらのスイッチ４４-t、４４-rを介して加入者線２１（加入者線交換機３２）」に対して、「電話機２３によって先行して行われたが、スイッチ４５によってその加入者線２１（加入者線交換機３２）に対する作用が阻止されたオフフックその他の振る舞い」の代行を』を指令する。さらに、回線制御部５０は、その代行が完了すると、スイッチ４４-t、４４-rを開設定し、かつスイッチ４５およびフック検出部４２を介してスプリッタ４１の「低域」に対応した端子に電話機２３を接続する。
【０００６】
また、公衆電話網３４から電話機２３に対する着信呼が生起した場合には、着信検出部４３は、加入者線２１からスプリッタ４１を介して与えられるリンギング信号を検出する。回線制御部５０は、このようにして検出されたリンギング信号に応じて上記の着信呼を識別し、かつスイッチ４５の共通接点をスプリッタ４１（フック検出部４２）側に接続する。
【０００７】
すなわち、公衆電話網３４を介して通話サービスが提供されるべき発信呼と着信呼との何れが生起した場合にも、最終的には、スイッチ４５、フック検出部４２およびスプリッタ４１を介して加入者線２１に接続され、しかも、上述したライン信号、レジスタ信号および通話信号の何れに対してもこれらのスイッチ４５、フック検出部４２およびスプリッタ４１によって特異な処理が施されない。
【０００８】
したがって、電話機２３は、この加入者線２１に直接接続された場合と同様に操作者が行う操作に応じて発信または着信応答を行い、かつ通話サービスの提供を受けることができる。
（高域）
(1) ＤＳＬ部５１は、ＡＤＳＬの規格に基づいて高域を物理的に終端してその規格に適合した物理層の処理を行い、かつメイン処理部５３は、このような高域を所定の通信レイヤ（ＩＰレイヤ）で終端する。メイン処理部５３は、その高域を介してＩＰ網３５にアクセスするパソコン２４との間にＬＡＮインタフェース部５２を介して形成される通信リンクをＭＡＣ層で終端し、そのＭＡＣ層と上述したＩＰレイヤとのインタフェースをとる。
(2) また、電話機２３がＩＰ電話の端末として作動する場合には、各部は、下記の通りに作動する。
・  回線制御部５０は、メイン処理部５３の配下で疑似加入者線回路４８、コーデック４７、スイッチ４４-t、４４-rおよび着信検出部４３の振る舞いを統括する。
・  疑似加入者線回路４８は、このような統括の下でスイッチ４５を介して加入者線２１および加入者線交換機３２を模擬し、かつフック検出部４９と連結することによって電話機２３の発信や終話等を意味する「オンフック」、「オフフック」の状態を検出する。
・  さらに、疑似加入者線回路４８は、電話機２３に発信呼が生起した場合には、その電話機２３によって与えられたレジスタ信号を回線制御部５０に引き渡す。
・  回線制御部５０は、規定の手順に基づいて該当する発信呼の呼設定を行う。
・  このような呼設定の過程では、回線制御部５０は上述したレジスタ信号として電話機２３から与えられた番号をメイン処理部５３に引き渡し、そのメイン処理部５３は、ＤＳＬ部５１およびスプリッタ４１を介してＩＰ網に設置されたＳＩＰ(SMDS(Distributed Queue Dual Bus) Interface Protocol) サーバ等と連係することによって、この番号をＩＰアドレスに変換する。
・  さらに、回線制御部５０は上記の呼設定の手順に基づいてコーデック４７の動作を制御し、そのコーデック４７は、疑似加入者線回路４８、メイン処理部５３およびＤＳＬ部５１の連係の下で、電話機２３とその電話機２３の通話相手との間で相互に伝送される通話信号の変換（「アナログの通話信号」と「ＶｏＩＰに適合したパケットの列」との変換）を行う。
【０００９】
なお、本発明に関連する先行技術としては、例えば、後述する特許文献１に記載されるように、「端末蔵置と公衆網との間を結ぶ通信回線に高速通信機能を実現させ、この通信回線を伝送するデータの通信速度が予め設定した最低通信速度以下になり、かつその通信回線が所定の時間以上継続して無通信状態になったとき、自己を再起動して予め決定されている最大通信速度でこの通信回線の通信を立ち上げる点」に特徴があるＡＤＳＬモデム並びにＡＤＳＬの通信速度自動復旧システム、そのシステムを実現する方法、この方法をコンピュータに実行させるプログラムおよびそのプログラムが記録された記録媒体がある。
【特許文献１】特開２００３−２６４６０３号公報
【発明の開示】
【発明が解決しようとする課題】
【００１０】
しかし、上述した従来例では、インタネットを介するブロードバンドのデータ伝送サービスに必要な伝送速度が安価に達成されても、ＡＤＳＬが本質的に外来ノイズその他の外乱に対して脆弱であるために、例えば、「ユーザの宅内のセキュリテイにかかわる情報を収集し、かつ非常時に該当する情報を上位の装置に確実に、しかも速やかに転送する装置」には、適用され難かった。
【００１１】
すなわち、ＡＤＳＬは、安価に、かつ高速に多量の情報の伝送を実現可能であるにもかかわらず、実時間による重要な情報の伝送、あるいは高い信頼性が厳しく要求されるサービスの提供やアプリケーションには馴染まず、適用可能な用途には限りがあった。
なお、従来、このような用途はＩＳＤＮ回線が適用されることによって実現される場合があったが、このようなにＩＳＤＮ回線は、ＡＤＳＬに比べてコスト高であり、かつ伝送速度は必ずしも十分に高くはなかった。
【００１２】
本発明は、構成が大幅に変更されることなくディジタル加入者線の利点の十分な活用に併せて、高い信頼性が実現されるディジタル加入者線モデムおよび情報処理装置と、これらのディジタル加入者線モデムまたは情報処理装置を実現するプログラムと、そのプログラムが記録された記憶媒体とを提供することを目的とする。
【課題を解決するための手段】
【００１３】
請求項１に記載の発明では、ディジタル加入者線として共用される加入者線の信号方式に適合した電話機と、このディジタル加入者線を介するデータ通信網へのアクセスに供される情報端末との双方と、その加入者線とのインタフェースをとるディジタル加入者線モデムにおいて、アナログモデムは、信号方式に基づくディジタル情報の送信と受信との双方または何れか一方に供される。制御手段は、アクセスの妨げとなる障害と、その障害の予兆との双方または何れか一方が検出されたときに、電話機に代えてアナログモデムをインタフェースの対象に設定し、このアナログモデムを上述したアクセスに供する。
【００１４】
すなわち、上述した障害または予兆が検出された場合であっても、ディジタル加入者線として共用される加入者を介するデータ通信網へのアクセスの続行が可能となる。
したがって、ディジタル加入者線は、そのディジタル加入者線の脆弱性に起因する信頼性の低下が軽減されるため、多様なアプリケーションやデータ伝送に対する適用が可能となる。
【００１５】
請求項２に記載の発明では、請求項１に記載のディジタル加入者線モデムにおいて、制御手段は、障害または予兆が検出されたときにディジタル加入者線を介してデータ通信網へのアクセスが行われている場合に、アナログモデムを介してそのデータ通信網との間にこのアクセスの続行に供される通信セッションを確立する。
すなわち、ディジタル加入者線を介する伝送情報の伝送の過程で上述した障害または予兆が検出された場合であっても、その伝送の続行または再開が可能となる。
【００１６】
したがって、内容が重要であり、かつ高い伝送品質が要求される伝送情報の伝送に対するディジタル加入者線の適用が可能となる。
請求項３に記載の発明では、請求項１に記載のディジタル加入者線モデムにおいて、制御手段は、障害または予兆が検出されたときに、電話機に先行して生起した呼の呼設定または通話のためにデータ通信網へのアクセスが行われている場合に、これらの呼設定または通話の続行に必要な通信セッションを確立することなく、この電話機による発信または着信応答の環境を確立する。
【００１７】
すなわち、電話機に生起した呼は、ディジタル加入者線を介する呼設定の続行または通話信号の伝送が保証されず、あるいは損なわれる可能性がある場合には、モデムおよび加入者線を介して確度高く続行される。
したがって、高い伝送品質が要求される通話サービスに対しても、ディジタル加入者線の適用が可能となる。
【００１８】
請求項４に記載の発明では、請求項２に記載のディジタル加入者線モデムにおいて、制御手段は、ディジタル加入者線を介して送信されるべき伝送情報を通信セッションの確立の過程で蓄積し、その通信セッションが確立した後に、アナログモデムを介してデータ通信網にこれらの蓄積された伝送情報を送信する。
すなわち、このような送信は、その送信の過程で上述した障害または予兆が検出された場合であっても、伝送情報が欠落することなく続行される。
【００１９】
したがって、内容が重要であり、かつ伝送品質に併せて信頼性が高く要求される伝送情報の伝送にも、ディジタル加入者線の適用が可能となる。
請求項５に記載の発明では、ディジタル加入者線として共用される加入者線の信号方式に適合した電話機と、このディジタル加入者線を介するデータ通信網へのアクセスに供される情報端末との双方と、その加入者線とのインタフェースをとるディジタル加入者線モデムにおいて、通知手段は、アクセスの妨げとなる障害とその障害の予兆との双方または何れか一方を情報端末に通知する。
【００２０】
すなわち、情報端末は、上述した電話機に代わるアナログモデムを介して既述のデータ通信網のアクセスを続行する契機を得ることができる。
したがって、本発明にかかわるディジタル加入者線モデムでは、このようなアクセスの続行および契機の識別にかかわる処理が情報端末によって行われることによって、負荷が軽減され、かつ構成が簡略化される。
【００２１】
請求項６に記載の発明では、請求項５に記載のディジタル加入者線モデムにおいて、通知手段は、障害と予兆との双方または何れか一方が検出されたときに、データ通信網へのアクセスが電話機に先行して生起した呼の呼設定または通話のために行われている場合に、その旨を情報端末に通知する。
すなわち、情報端末は、上述した障害や予兆が検出された場合であっても、既述の呼設定または通話の続行を実現する処理が起動される契機を得ることができる。
【００２２】
したがって、本発明にかかわるディジタル加入者線モデムでは、このような処理と契機の識別とが情報端末によって行われることによって、負荷が軽減され、かつ構成が簡略化される。
請求項７に記載の発明では、ディジタル加入者線として共用される加入者線の信号方式に適応した電話機とディジタル加入者線を介してデータ通信網にアクセスする情報端末との何れか一方と、加入者線とのインタフェースをとるディジタル加入者線モデムに併せて、信号方式に基づくディジタル情報の送信と受信との双方または何れか一方に供されるアナログモデムと連係し、かつ情報処理を行う情報処理装置において、制御手段は、アクセスの妨げとなる障害、またはその障害の予兆が検出されたときに、電話機に代えてアナログモデムをインタフェースの対象に設定し、このアナログモデムを上述したアクセスに供する。
【００２３】
すなわち、このようなインタフェースの対象の切り替えと、アナログモデムを介するデータ通信網へのアクセスとを実現する機能がディジタル加入者線モデムに備えられない場合であっても、既述の障害または予兆が検出された場合には、そのディジタル加入者線モデムと上述した情報処理装置とが連係することによって、請求項１に記載の発明と同様に、加入者線と上述したアナログモデムとを介するデータ通信網へのアクセスの続行が可能となる。
【００２４】
したがって、ディジタル加入者線は、ディジタル加入者線モデムの基本的な構成が変更されることなく、そのディジタル加入者線の脆弱性に起因する信頼性の低下が確度高く軽減され、かつ多様なアプリケーションやデータ伝送に対する適用が可能となる。
請求項８に記載の発明では、請求項７に記載の情報処理装置において、制御手段は、障害または予兆が検出されたときにディジタル加入者線を介してデータ通信網へのアクセスが行われている場合に、アナログモデムおよびディジタル加入者線モデムを介してそのデータ通信網との間にこのアクセスの続行に供される通信セッションを確立する。
【００２５】
すなわち、このような通信セッションの確立を実現する機能がディジタル加入者線モデムに備えられない場合であっても、既述の障害または予兆が検出された場合には、そのディジタル加入者線モデムと上述した情報処理装置とが連係することによって、請求項２に記載の発明と同様に、加入者線と上述したアナログモデムとを介するデータ通信網へのアクセスの続行が可能となる。
【００２６】
したがって、内容が重要であり、かつ高い伝送品質が要求される伝送情報の伝送に対するディジタル加入者線の適用が可能となる。
請求項９に記載の発明では、請求項７に記載の情報処理装置において、制御手段は、障害または予兆が検出されたときに、電話機に先行して生起した呼の呼設定または通話のためにデータ通信網へのアクセスが行われている場合に、これらの呼設定または通話の続行に必要な通信セッションを確立することなく、この電話機による発信または着信応答の環境を確立する。
【００２７】
すなわち、このような発信または着信応答の環境を確立する機能がディジタル加入者線モデムに備えられない場合であっても、ディジタル加入者線を介する呼設定の続行または通話信号の伝送が保証されず、あるいは損なわれる可能性がある場合には、電話機に生起した発信呼または着信呼は、そのディジタル加入者線モデムと上述した情報処理装置とが連係することによって、請求項３に記載の発明と同様に、アナログモデムおよび加入者線を介して確度高く続行される。
【００２８】
したがって、高い伝送品質が要求される通話サービスに対しても、ディジタル加入者線の適用が可能となる。
請求項１０に記載の発明では、請求項８に記載の情報処理装置において、制御手段は、ディジタル加入者線を介して送信されるべき伝送情報を通信セッションの確立の過程で蓄積し、その通信セッションが確立した後に、アナログモデムを介してデータ通信網にこれらの伝送情報を送信する。
【００２９】
すなわち、このような伝送情報の蓄積および送信を実現する機能がディジタル加入者線モデムに備えられず、かつ上述した送信の過程で既述の障害または予兆が検出された場合であっても、その送信は、伝送情報が欠落することなく続行される。
したがって、内容が重要であり、かつ伝送品質に併せて信頼性が高く要求される伝送情報の伝送にも、ディジタル加入者線の適用が可能となる。
【００３０】
請求項１１に記載の発明では、請求項７ないし請求項１０の何れか１項に記載の情報処理装置において、情報端末を兼ねる。
すなわち、本発明にかかわる情報処理装置は、「ディジタル加入者線として共用される加入者線に接続されたディジタル加入者線モデム」と、「そのディジタル加入者線モデムの電話機用端子をその情報処理と電話機との何れか一方の終端するアナログモデム」とを周辺装置として有するパソコンその他の汎用のコンピュータとして構成される。
【００３１】
したがって、ディジタル加入者線の障害、またはその障害の予兆が検出されたときにアナログモデムおよび加入者線を介してデータ通信網に対するアクセスの続行が可能なアクセス網が安価に、かつ高い信頼性で実現される。
【発明の効果】
【００３２】
上述したように請求項１に記載の発明では、ディジタル加入者線は、そのディジタル加入者線の脆弱性に起因する信頼性の低下が軽減されるため、多様なアプリケーションやデータ伝送に対する適用が可能となる。
また、請求項２、８に記載の発明では、内容が重要であり、かつ高い伝送品質が要求される伝送情報の伝送に対するディジタル加入者線の適用が可能となる。
【００３３】
さらに、請求項３、９に記載の発明では、高い伝送品質が要求される通話サービスに対しても、ディジタル加入者線の適用が可能となる。
また、請求項４、１０に記載の発明では、内容が重要であり、かつ伝送品質に併せて信頼性が高く要求される伝送情報の伝送にも、ディジタル加入者線の適用が可能となる。
さらに、請求項５、６に記載の発明では、負荷が軽減され、かつ構成が簡略化される。
【００３４】
また、請求項７に記載の発明では、ディジタル加入者線は、ディジタル加入者線モデムの基本的な構成が変更されることなく、そのディジタル加入者線の脆弱性に起因する信頼性の低下が確度高く軽減され、かつ多様なアプリケーションやデータ伝送に対する適用が可能となる。
さらに、請求項１１に記載の発明では、ディジタル加入者線の障害、またはその障害の予兆が検出されたときにアナログモデムおよび加入者線を介してデータ通信網に対するアクセスの続行が可能なアクセス網が安価に、かつ高い信頼性で実現される。
【００３５】
したがって、これらの発明が適用されたアクセス網では、コストが大幅に増加することなく、伝送情報に併せて、サービス品質および信頼性が高く維持され、かつ付加価値が高められる。
【発明を実施するための最良の形態】
【００３６】
以下、図面に基づいて本発明の実施形態について詳細に説明する。
図１は、本発明の第一ないし第三の実施形態を示す図である。
本実施形態の構成の特徴は、下記の要素が備えられた点にある。
・  メイン処理部５３の配下で作動するアナログモデム１１
・  スプリッタ４１とフック検出部４２との段間に配置され、かつそのスプリッタ４１に接続された２つの共通接点と、フック検出部４２に拙速された２つのブレーク接点と、上述したアナログモデム１１のライン側端子に接続された２つのメーク接点とに併せて、メイン処理部５３の特定の出力ポートに接続された制御端子とを有するスイッチ１２
図２は、本発明の第一および第二の実施形態におけるメイン処理部の動作フローチャートである。
［第一の実施形態］
以下、図１〜図３を参照して本発明の第一の実施形態の動作を説明する。
【００３７】
本実施形態の特徴は、メイン処理部５３がアナログモデム１１およびスイッチ１２と連係することによって行う下記の処理の手順にある。
電話機２３に発信呼と着信呼との何れもが生起せず、かつパソコン２４がＡＤＳＬを介してＩＰ網３５へアクセスしていない状態では、メイン処理部５３は、ＤＳＬ部５１と連係して下記の信号や内容に所定の統計的な処理を時系列の順に反復して施すことによって、既述の高域を介して形成されるＡＤＳＬの障害とその障害の予兆との双方または何れか一方を検出する（図２(1))。
・  スプリッタ４１および加入者線２１の高域とを介して送受される信号
・  その信号で示されるパケット等の伝送単位の内容
メイン処理部５３は、このような障害または予兆が検出された時点からその検出された障害と予兆との双方が消滅する時点（図２(2))に至る期間（以下、「特定の期間」という。）を識別する。
【００３８】
また、メイン処理部５３は、従来例と同様に回線制御部５０と連係することによって、下記の契機(1)、(2) を識別する。
(1) 電話機２３に新たに生起した発信呼の呼設定が「ＩＰ電話網に適応した呼設定の手順に基づくＩＰ網３５へのアクセス」として開始される契機
(2) パソコン２４によってＩＰ網３５に対するアクセルが新たに開始される契機
さらに、メイン処理部５３は、これらの契機(1)、(2) の何れかを識別した（図２(3)、(4))場合には、下記の特異な処理を行った後に、アナログモデム１１を介してＩＰ網３５にアクセスする。
・  スイッチ１２を介してスプリッタ４１にアナログモデム１１を接続する（図２(5))。
・  ＤＳＬ部５１に代えてそのアナログモデム１１と連係し、このアナログモデム１１を介して公衆電話網３４のアクセスポイントにアクセスする（図２(6))。
・  そのアクセスポイントおよびＩＰ網３５を介して所望のサーバ等にアクセスする（図２(7))。
【００３９】
このようにＡＤＳＬ（高域）を介する正常なデータ伝送が保証されず、あるいは損なわれる可能性がある場合には、そのデータ伝送は、ＤＳＬ部５１に代えてアナログモデム１１が適用されることによって、「低域」を介して確度高く実現される。
すなわち、ＡＤＳＬを介するデータ伝送が「低域」を介して代替され、あるいは継続されることによって、既述のＡＤＳＬの脆弱性に起因する信頼性の低下が軽減され、かつ公衆電話網３４のトラヒックの分布やアナログモデム１１に適用された変調方式の制約の範囲で高い伝送速度が確保される。
【００４０】
したがって、本実施形態によれば、多様なアプリケーションやデータ伝送に対するディジタル加入者線の適用が可能となる。
［第二の実施形態］
以下、図１〜図３を参照して本発明の第二の実施形態の動作を説明する。
本実施形態の特徴は、メイン処理部５３によって行われる下記の処理の手順にある。
【００４１】
メイン処理部５３は、上述した「特定の期間」には、回線制御部５０と連係することによって、既述の契機(1)、(2) に併せて、下記の契機(A)、(B) を識別する。
(A) パソコン２４によって引き渡された情報がＡＤＳＬを介してＩＰ網３５にパケットとして送信される契機（図２(8))
(B) ＡＤＳＬを介してＩＰ網３５から引き渡されたパケットがパソコン２４に転送される契機（図２(9))
さらに、メイン処理部５３は、これらの契機(A)、(B) の何れかを識別した場合には、該当するパケットを既定のバッファメモリに蓄積しつつ（図２(10)、(11))下記の処理(1)〜(4)を行う。
(1) スイッチ１２を介してスプリッタ４１にアナログモデム１１を接続する。
(2) ＤＳＬ部５１に代えてそのアナログモデム１１と連係し、このアナログモデム１１を介して公衆電話網３４のアクセスポイントにアクセスする。
(3) そのアクセスポイントおよびＩＰ網３５を介して所望のサーバ（上述した情報の引き渡し先または送信元に該当する。）等の間に通信セッションを確立する。以下、これらの処理(1)〜(3)については、単に「通信セッション確立処理」（図２(12)) という。
(4) 上述したアナログモデム１１およびアクセスポイントを介してＩＰ網３５（上記のサーバ）に対するアクセスを継続することによって、上述したバッファメモリに先行して蓄積されたパケットから優先的に該当するパケットの送受信を行う（図２(13))。
【００４２】
すなわち、パソコン２４が送信端または受信端に該当するパケットは、そのパケットのＡＤＳＬを介する正常な伝送が保証されず、あるいは損なわれる可能性がある場合には、「低域」および公衆電話網３４を介して確度高く伝送される。
したがって、本実施形態によれば、内容が重要であり、かつ高い伝送品質が要求されるデータの伝送に対するＡＤＳＬの適用が可能となる。
【００４３】
なお、本実施形態では、「通信セッション確立処理」が行われる期間には、その「通信セッション確立処理」が完了次第、アナログモデム１１を介してＩＰ網３５に送信されるパケットが上述したバッファに蓄積されている。
しかし、このようなパケットの蓄積は、メイン処理部５３ではなく、パソコン２４によって行われ、またはこれらのメイン処理部５３とパソコン２４との双方で行われてもよく、さらに、これらのパケットの廃棄や欠落が許容され、もしくは上位レイヤの通信手順に基づいて補完される場合には、行われなくてもよい。
［第三の実施形態］
以下、図１および図３を参照して本発明の第三の実施形態の動作を説明する。
【００４４】
本実施形態の特徴は、メイン処理部５３によって行われる下記の処理の手順にある。
メイン処理部５３は、上述した「特定の期間」には、回線制御部５０と連係することによって、既述の契機(1)、(2) に併せて、下記の契機(a)、(b) を識別する。
(a) 電話機２３に生起し、かつ存続する完了呼（ＩＰ電話網を介して通話信号の伝送が行われる。）にかかわる通話信号が継続して伝送され、あるいはこの完了呼にかかわる何らかの呼設定が継続して行われる契機
(b) 電話機２３にＩＰ電話網を介して新たに着信した着信呼の呼設定が「そのＩＰ電話網に適応した呼設定の手順に基づくＩＰ網３５へのアクセス」として続行される契機
さらに、メイン処理部５３は、これらの契機(a)、(b) の何れかを識別した場合には、下記の処理(1)〜(3)の何れかを行う。
(1) 既述の「通信セッション確立処理」を行った後に、アナログモデム１１を介してＩＰ網に対するアクセスを継続する。
(2) 該当する呼の呼設定を速やかに中断し、発信者（通話相手）の再発信に応じた呼処理の過程においてＤＳＬ部５１に代えてそのアナログモデム１１と連係する準備を行う。
(3) 該当する呼の呼設定を速やかに中断し、該当する呼がＩＰ電話網に対する発信呼である場合には、ＤＳＬ部５１に代えてそのアナログモデム１１と連係する処理を行う。また、該当する呼が公衆電話網３４に対する発信呼である場合には、従来例と同様に電話機２３に代わってコーデック４７が加入者線宛に発信し、その通話相手の応答に応じて電話機２３を呼び出す処理を行うことによって、着信者（通話相手）に対するコールバックの準備を行う。
【００４５】
すなわち、電話機２３に生起した発信呼または着信呼は、ＡＤＳＬを介する正常なデータ伝送が保証されず、あるいは損なわれる可能性がある場合には、これらの呼が不完了呼と完了呼との何れであっても、呼設定および通話信号の伝送が「低域」を介して確度高く保証される。
したがって、本実施形態によれば、高い伝送品質が要求される通話に対するＩＰ電話の適用が可能となる。
【００４６】
なお、本実施形態では、「通信セッション確立処理」が行われる期間には、その「通信セッション確立処理」が完了次第、アナログモデム１１を介してＩＰ網３５に送信されるパケットがバッファされていない。
しかし、このようなパケットの蓄積は、既述の第二の実施形態と同様に、メイン処理部５３によって行われ、あるいは行われなくてもよい。
【００４７】
また、上述した各実施形態では、パソコン２４と電話機２３との何れも、従来例には備えられなかった機能が付加されることなくＡＤＳＬの脆弱性に起因する信頼性等の低下が軽減されている。
しかし、本発明は、このような構成に限定されず、例えば、パソコン２４のような情報端末の余剰の処理量が活用されることによって、メイン処理部５３、ＤＳＬ部５１および回線制御部５０によって行われる既述の処理の全てまたは一部が実現され、これらの処理の契機に併せて、演算対象および演算結果の引き渡しがメイン処理部５３等との連係の下で行われことによって、本実施形態にかかわるディジタル加入者線モデムの構成の簡略化、節電、低廉化および小型化が図られてもよい。
【００４８】
さらに、このようなパソコン２４の余剰の処理量については、例えば、そのパソコン２４によって実行される「上記のディジタル加入者線モデムのドライバ」と、「このパソコン２４に組み込まれたＢＩＯＳ(Basic Input Output System)」との双方または何れか一方による活用が可能である。
また、上述した各実施形態では、既述の「高域」に形成されたＡＤＳＬの規格に適合するＡＤＳＬに本発明が適用されている。
【００４９】
しかし、本発明は、例えば、下記の何れのディジタル加入者線に適合するディジタル加入者線モデムにも、適用可能である。
・  ＶＤＳＬ(Very High-Bit-Rate Digital Subscriber Line)
・  ＨＤＳＬ(High-Bit-Rate Digital Subscriber Line)
・  ＳＤＳＬ(Symmetric Digital Subscriber Line)
・  ＩＤＳＬ(ISDN Digital Subscriber Line)
・  ＣＤＳＬ(Consumer Digital Subscriber Line)
・  ＣｉＤＳＬ(Consumer-installable Digital Subscriber Line)
・  ＭＤＳＬ(Multi(Medium)-Rate Digital Subscriber Line)、
さらに、上述した各実施形態では、パソコン２４とＩＰ網３５との間におけるデータの伝送に併せて、ＩＰ電話の呼設定にかかわる情報と通話信号とに該当するデータの伝送に際して、ＤＳＬ部５１に代えてアナログモデム１１が適用されている。
【００５０】
しかし、このようなアナログモデム１１によるＤＳＬ部５１の代替は、例えば、ＤＳＬＡＭ３３から所定の頻度で与えられ、かつ本発明にかかわるディジタル加入者線モデムの監視制御を実現するパケットに対する応答の伝送に際して同様に行われてもよい。
また、上述した各実施形態では、ＡＤＳＬの障害とその障害の予兆との検出に適用される基準が具体的に示されていない。
【００５１】
しかし、このような基準は、本発明が適用されるディジタル加入者線の仕様や規格に基づいて上記の障害や予兆を所望の精度および確度で検出できるならば、下記の項目の全てまたは一部に限定されず、多様に設定可能である。
・  物理層で検出され、かつ適用された変復調方式の下で判定されるシンボル単位の誤差またはその誤差の分布
・  ＣＲＣチェックによって検出されたビット誤りの数または頻度
・  パケット等の伝送単位毎に検出されたフレームやヘッダの誤りの数または頻度
さらに、本発明は、上述した実施形態に限定されるものではなく、本発明の範囲において多様な形態による実施形態が可能であり、かつ構成装置の一部もしくは全てに如何なる改良が施されてもよい。
【図面の簡単な説明】
【００５２】
【図１】本発明の第一ないし第三の実施形態を示す図である。
【図２】本発明の第一および第二の実施形態におけるメイン処理部の動作フローチャートである。
【図３】ＡＤＳＬを介してデータ通信サービスを提供する通信システムの構成例を示す図である。
【図４】ＡＤＳＬモデムの構成例を示す図である。
【符号の説明】
【００５３】
１１  アナログモデム
１２  スイッチ
２１  加入者線
２２  ＡＤＳＬモデム
２３  電話機
２４  パソコン（ＰＣ）
３１，４１  スプリッタ
３２  加入者線交換機
３３  ＤＳＬＡＭ
３４  公衆電話網
３５  ＩＰ網
４２，４９  フック検出部
４３  着信検出部
４４，４５  スイッチ
４６  トランス
４７  コーデック
４８  疑似加入者線回路（ＳＬＩＣ）
５０  回線制御部（ＮＣＵ）
５１  ＤＳＬ部
５２  ＬＡＮインタフェース部
５３  メイン処理部
【図１】
2006005423.tif 000003
【図２】
2006005423.tif 000004
【図３】
2006005423.tif 000005
【図４】
2006005423.tif 000006